(57)【要約】【課題】  水平方向および鉛直方向のどちらにも良好な視界を確保でき、しかも、ボールがぶつかった際の衝撃から着用者の顔面を確実に保護できるマスクを提供する。【解決手段】  鋼線を折り曲げたフレームを組み合わせて構成するマスクにおいて、着用者の両目を結ぶ線と平行でかつ着用者の両目を結ぶ線より上方に位置する頭部フレームと、着用者の両目を結ぶ線と平行でかつ着用者の両目を結ぶ線より下方に位置する顎上部フレームとを設け、前記頭部フレームに、前記頭部フレームと前記顎上部フレームとを覆う透明な保護プレートを取り付ける。【選択図】図１
2006192092.tif 000002
【特許請求の範囲】
【請求項１】
鋼線を折り曲げたフレームを組み合わせて構成するマスクにおいて、
着用者の両目を結ぶ線と平行でかつ着用者の両目を結ぶ線より上方に位置する額部フレームと、着用者の両目を結ぶ線と平行でかつ着用者の両目を結ぶ線より下方に位置する顎上部フレームとを有し、
前記フレームに、前記額部フレームと前記顎上部フレームとを覆う透明な保護プレートを取り付けたことを特徴とするマスク。
【請求項２】
請求項１において、
前記保護プレートが、前記額部フレーム上の少なくとも１箇所において取り付けられたことを特徴とするマスク。
【請求項３】
請求項１において、
前記保護プレートが、前記額部フレーム上の少なくとも２箇所において取り付けられたことを特徴とするマスク。
【請求項４】
請求項１ないし２のいずれかにおいて、
前記保護プレートが、前記額部フレーム上の少なくとも１箇所、および、前記顎上部フレーム上の少なくとも１箇所において取り付けられたことを特徴とするマスク。
【請求項５】
請求項３において、
前記保護プレートの前記額部フレームへ取り付け位置間の距離が２０〜１００ｍｍであることを特徴とするマスク。
【請求項６】
請求項１ないし５のいずれかにおいて、
前記額部フレームと前記顎上部フレーム間の距離が１５０ｍｍ以下であることを特徴とするマスク。
【発明の詳細な説明】
【技術分野】
【０００１】
本発明は、野球やソフトボールの際に使用されるキャッチャー用マスクおよび審判用マスクに関し、詳細には、良好な視界を確保しつつ、かつ、ボールがぶつかった際の衝撃から着用者の顔面を確実に保護するための構造の改良に関する。
【背景技術】
【０００２】
従来から、野球やソフトボールの際に使用されるキャッチャー用マスクおよび審判用マスクにおいて、着用者の顔面の安全性を確保しつつ、かつ視界を確保するために様々な手段が講じられている。
【０００３】
例えば、特開２００１−２１２２７６号には、折り曲げたワイヤーフレームを組み合わせて構成するマスクにおいて、着用者の両眼を結ぶ線と平行に設けた２本の横のフレームを結ぶ縦のフレームが、着用者を真横から見た場合の目の位置から前面には存在しないことを特徴とするマスクが開示されている。
【特許文献１】特開２００１−２１２２７６号公報
【発明の開示】
【発明が解決しようとする課題】
【０００４】
ここで、一般的に、野球等に用いられるボールの直径は、硬式球で約７３ｍｍ、軟式球では最少のもので約６４ｍｍである。しかし、実際の使用において投げられたり打たれたりした場合、ボールは真球でなく楕円球形状に変形、すなわち、球径が６４ｍｍのボールであっても、短径約４０ｍｍの楕円球形状に変形する場合がある。従って、ボールがマスク内に進入することを確実に防止する為には、フレームとフレームの間によって生じる隙間を４０ｍｍ以下に設計する必要がある。
特開２００１−２１２２７６号に開示されるマスクにおいては、縦のフレームは着用者の目の付近には存在しないので水平方向には比較的良好な視界は得られるものの、マスク内へのボールの進入を防止するためには横のフレーム同士の間隔を４０ｍｍ以下にする必要があり、やはり、横のフレームによって視界が遮られるため、鉛直方向の視界確保は十分ではなかった。
【０００５】
本発明は、前記従来の問題を解決するため、鉛直方向にも良好な視界を確保でき、しかも、ボールがぶつかった際の衝撃から着用者の顔面を確実に保護できるマスクを提供することを目的とする。さらには、グラウンド中に砂塵が舞う等の悪条件においても良好な視界を確保できるマスクを提供することを目的とする。
【課題を解決するための手段】
【０００６】
前記目的を達成するため、請求項１に記載の発明は、
鋼線を折り曲げたフレームを組み合わせて構成するマスクにおいて、着用者の両目を結ぶ線と平行でかつ着用者の両目を結ぶ線より上方に位置する額部フレームと、着用者の両目を結ぶ線と平行でかつ着用者の両目を結ぶ線より下方に位置する顎上部フレームとを有し、前記フレームに、前記額部フレームと前記顎上部フレームとを覆う透明な保護プレートを取り付けたことを特徴とするマスクに関するものである。
【０００７】
請求項２に記載の発明は、
請求項１において、前記保護プレートが、前記額部フレーム上の少なくとも１箇所において取り付けられたことを特徴とするマスクに関するものである。
【０００８】
請求項３に記載の発明は、
請求項１において、前記保護プレートが、前記額部フレーム上の少なくとも２箇所において取り付けられたことを特徴とするマスクに関するものである。
【０００９】
請求項４に記載の発明は、
請求項１ないし２のいずれかにおいて、前記保護プレートが、前記額部フレーム上の少なくとも１箇所、および、前記顎上部フレーム上の少なくとも１箇所において取り付けられたことを特徴とするマスクに関するものである。
【００１０】
請求項５に記載の発明は、
請求項３において、前記保護プレートの前記額部フレームへ取り付け位置間の距離が２０〜１００ｍｍであることを特徴とするマスクに関するものである。
【００１１】
請求項６に記載の発明は、
請求項１ないし５のいずれかにおいて、前記額部フレームと前記顎上部フレーム間の距離が１５０ｍｍ以下であることを特徴とするマスクに関するものである。
【発明の効果】
【００１２】
本発明は、水平方向、鉛直方向ともに良好な視界を確保し、しかも、ボールがぶつかった際の衝撃から、着用者の顔面を確実に保護することができるマスクを提供することができる。また、グラウンド中に砂塵が舞う等の悪条件においても良好な視界を確保することが出来るマスクを提供することができる。
【発明を実施するための最良の形態】
【００１３】
以下、本発明の実施態様を添付図面に基づいて説明する。
【００１４】
図１は本発明の一実施態様によるマスク１の正面図であり、図２は同マスクのフレーム２の正面図、図３は保護プレート３の正面図、図４はフレーム２と保護プレート３のみの側面図、図５は、本発明の第二の実施態様によるマスク１の部分拡大図である。
【００１５】
図１に示すように、本発明のマスク１は、フレーム２と保護プレート３と顎パッド４と額パッド５および着用ベルト６とから構成される。
【００１６】
図２に示すように、フレーム２は、軟鋼やクロモリブデン鋼などの鋼線、あるいはこれらのパイプ材を組み合わせて溶接等することにより形成されている。
また、フレーム２は、額部フレーム２３と、顎上部フレーム２４とを有している。
【００１７】
図４に示すように、額部フレーム２３は着用者の両目を結ぶ線より上方に配置する。また、顎上部フレーム２４は着用者の両目を結ぶ線より下方に配置する。また、額部フレーム２３、顎上部フレーム２４共に着用者の両目を結ぶ線と略平行になるように配置する。  額部フレーム２３と顎上部フレーム２４間の距離Ｌは、視界確保と言う点で、従来技術でもある４０ｍｍ以上であって大きければ大きいほど好ましいが、ボール衝突時の安全性確保と言う点で１５０ｍｍ以下であるのが好ましい。
【００１８】
保護プレート３を構成する材料としては、ボール衝突時の過度の変形を抑制するという点で、曲げ弾性率が１０以下の材料を用いるのが好ましい。ただし、前記曲げ弾性率は、ＩＳＯ  １７８に基づき、測定した曲げ弾性率である。
また、着用時の良好な視界を確保するという点で、透明性の高い材料、すなわち光線屈折率２以下の材料を用いるのが好ましい。ただし、前記光線屈折率は、ＩＳＯ  ４８９に基づき、測定した光線屈折率である。同じく、透明性を確保すると言う点で、光線透過率２２％以上の材料を用いるのが好ましい。ただし、前記光線透過率は、ＩＳＯ  １３４６８―１に基づき、測定した光線透過率である。
具体的には、視界を確保すると言う点では、ガラス等透明性の高い材料であれば良いが、マスク全体の軽量化と言う点では、ポリカーボネート、アクリル樹脂等の比較的比重の小さい合成樹脂、その他同効質の材料で構成するのが好ましい。また、複数の同種または異種の材料を重ねて構成することにより、重量や歪みの調整が可能となり、また、耐衝撃性を高めることが可能となる。
【００１９】
保護プレート３は、額部フレーム２３と顎上部フレーム２４を覆うように配置するのが好ましいが、部分的にフレームを覆わない部分があっても良い。
図３に示す様に、保護プレート３における額部フレーム２３、顎上部フレーム２４および、内枠フレーム２２に囲まれた範囲を、視界面３１とする。像の歪みが少なくまた製造工程が簡略化出来ると言う点で、視界面３１は水平方向のみの曲面であることが好ましいが、鉛直方向への曲面を有していても良い。
また、視界面３１以外の部分においてはこの限りではなく、曲率が局部的に変化していても良い。視界面３１以外の部分における曲率を、視界面の曲率より大きくすることによって、土砂や埃等がマスク１内に進入するのを効果的に防止することが出来る。
【００２０】
また、図１に示す様に、保護プレート３は、留め具３２を用いて、額部フレーム２３および／または顎上部フレーム２４に固定しても良い。
ボール衝突時に保護プレート３の弾性を効果的に働かせ、また、保護プレート３の脱落を防止するという点で、留め具３２は保護プレート３より弾性の低い材料で構成するのが好ましい。具体的には、一般的な炭素鋼（ＳＣ材）等の金属等で構成するのが好ましい。但し、一部弾性変形の大きい部材で構成されていても良い。
【００２１】
図５に示す様に、保護プレート３は、顎パッド４または額パッド５に設けられた面ファスナー３３等を用いて、フレーム２に固定しても良い。
この場合、保護プレート３のフレーム２への取り付けや、保護プレート３の取替えが容易になるという利点がある。
また、保護プレート３のフレームへの取り付けは、留め具３２による取り付けと、面ファスナー３３による取り付けを組み合わせても良い。
【００２２】
保護プレート３は、着用時にフレーム２より外側、すなわち着用者から遠い方になるように取り付けても良いし、フレーム２より内側になるように取り付けても良い。
保護プレート３をフレーム２より外側になるように取り付けた場合、保護プレート３に衝撃が加わった際に、フレーム２により保護プレート３が内側に入り込むことを防止することが出来る。
保護プレート３をフレーム２より内側に取り付けた場合、保護プレート３の面を下にしてマスク１を地面等においた場合にも、保護プレート３に傷がつきにくいという利点がある。
【００２３】
図示はしないが、マスク１の軽量化という点で、保護プレート３は、額部フレーム２３上の１箇所で取り付けても良い。なお、この場合、左右への安定性という点で、フレーム２の中心線２９上に取り付けるのが、好ましい。
また、保護プレート３は、額部フレーム２３上の２箇所に取り付けても良い。この場合、保護プレート３の左右方向へのぐらつきを効果的に抑えることが出来る。さらに、保護プレート３は、額部フレーム２３上の少なくとも１箇所、および、顎上部フレーム２４上の少なくとも１箇所で取り付けても良い。この場合、保護プレート３の上下方向へのぐらつきを効果的に抑えることが出来る。
【００２４】
保護プレート３の左右方向へのぐらつきを抑えるという点で、フレーム２への保護プレート３の取り付けは、フレーム２の中心線２９に対して左右対象となるように取り付けるのが好ましい。
また、同フレーム上の２箇所で取り付ける場合、取り付け位置間の距離は、２０ｍｍ以上１００ｍｍ以下が好ましい。２０ｍｍ以下の場合、保護プレート３のフレーム２への固定が不安定となる。また１００ｍｍ以上の場合、フレーム２の取り付け位置の中間付近にボールが衝突した際に保護プレート３の変形が大きくなってしまい、着用者の顔面に保護プレート３が衝突してしまうという不具合が発生する。なお、保護プレート３の額部フレーム２３への固定、および保護プレート３の変形を効果的に抑えるという点で、取り付け位置間の距離は、６０ｍｍ〜９０ｍｍ程度であるのが好ましい。
【実施例１】
【００２５】
以下、実施例を用いてさらに具体的に説明する。
【００２６】
図１に示す様に、フレーム２は、軟鋼（ＳＷＲＭ）のパイプ材より構成し、外枠フレーム２１、内枠フレーム２２、額部フレーム２３、顎上部フレーム２４、サイドフレーム２６およびサイドフレーム２６から延設された顎下部フレーム２５、頭部フレーム２７、顎フレーム２８の各接点を溶接することにより組み立てた。
【００２７】
額部フレーム２３は、着用者の目の位置より約２０ｍｍ上になるように配置した。また、額部フレーム２３と間の距離Ｌが１１０ｍｍ下になるように、顎上部フレーム２４を配置した。
【００２８】
着用時のフィット性および着用感を向上させるために、額部フレーム２３の上方に額パッド５を設けた。また、同じく顎上部フレーム２４付近には顎パッド４を設けた。さらに、外枠フレーム２１には着用のための着用ベルト６を設けた。
【００２９】
保護プレート３は、額部フレーム２３上の２箇所および顎上部フレーム２４上の３箇所で、留め具３２により取り付けた。保護プレート３の左右への安定性およびボールが衝突した時の変形を考慮して、額部フレーム２３上の中心線２９から３５ｍｍずつ、すなわち７０ｍｍ離れた位置、および、顎上部フレーム２４上の中心線２９上と中心線２９から５０ｍｍずつ、すなわち１００ｍｍ離れた位置に、取り付けた。
また、保護プレート３の材料として、軽量性を重視して、光線屈折率１．５９、光線透過率４４％、圧縮強さ７０Ｍｐa（ＩＳＯ６０４）、曲げ弾性率２．２Ｇｐａで厚み３ｍｍのポリカーボネートを用いた。
【産業上の利用可能性】
【００３０】
本発明の活用例としては、野球やソフトボールの審判用マスクや、キャッチャー用マスクが考えられる。
【図面の簡単な説明】
【００３１】
【図１】本発明の一実施態様によるマスク１の正面図である。
【図２】本発明の一実施態様によるマスク１のフレーム２の正面図である。
【図３】保護プレート３の正面図である。
【図４】フレーム２と保護プレート３のみの側面図である。
【図５】本発明の第二の実施態様によるマスク１の部分拡大図である。
【符号の説明】
【００３２】
１：マスク
２：フレーム
２１：外枠フレーム
２２：内枠フレーム
２３：額部フレーム
２４：顎上部フレーム
２５：顎下部フレーム
２６：サイドフレーム
２７：頭部フレーム
２８：顎フレーム
２９：中心線
３：保護プレート
３１：視界面
３２：留め具
３３：面ファスナー
４：顎パッド
５：額パッド
６：着用ベルト
Ｌ：額部フレームと顎上部フレーム間の距離
【図１】
2006192092.tif 000003
【図２】
2006192092.tif 000004
【図３】
2006192092.tif 000005
【図４】
2006192092.tif 000006
【図５】
2006192092.tif 000007